(57)【要約】【課題】  照明装置のオンオフ制御に対して不必要な電力を消費しないで動作させることができるドラム式洗濯機を提供する。【解決手段】  洗濯物出入口６を開閉する扉９を前面部１ａに有し、ドラム２０内に照明装置３４を有するドラム式洗濯機において、交流電源５１を直流化する直流電源部５０ａにコンデンサ５４を設ける。このコンデンサ５４は電源供給時に蓄電され、電源非供給時には蓄電が維持される。さらにコンデンサ５４と照明装置３４のＬＥＤ３４ａの間に、扉９の開閉に連動してオンオフされる扉スイッチ４５の接点７２を設ける。この構成により電源非供給時であっても扉９を開放することによって扉スイッチ４５がオンされ、コンデンサ５４とＬＥＤ３４ａの通電路が通電され、ＬＥＤ３４ａからドラムに向かって光が照射させることができる。【選択図】  図７
2006223571.tif 000002
【特許請求の範囲】
【請求項１】
洗濯物出入口を開閉する扉を前面に有する外箱と、
この外箱の内部に弾性支持される水槽と、
この水槽の内部に設けられ、洗濯物を収容して回転駆動されるドラムと、
このドラム内に光を照射する照明装置と、
前記ドラムを回転駆動するための交流電源を変換して得られた直流電圧を蓄積する蓄電手
段と、
前記扉の開閉に連動してオンオフされ、前記蓄電手段と前記照明装置との間の通電路を開
閉する扉スイッチと、
操作パネルからの操作スイッチに従い前記ドラムの回転駆動及び前記照明装置を制御する
制御手段とを具備し、
前記交流電源の供給時に前記蓄電手段に蓄電され直流電圧を、前記交流電源の非供給時に
前記扉が開放された時に導通する前記扉スイッチを介して前記照明装置へ給電することに
より、前記照明装置から前記ドラム内に光が照射されることを特徴とするドラム式洗濯機
。
【請求項２】
前記扉の開放によって前記直流電圧を前記照明装置に給電開始してから所定時間経過後
、前記制御手段の制御により前記蓄電手段と前記照明装置の間の給電ラインを遮断して、
前記照明装置を消灯することを特徴とする請求項１に記載のドラム式洗濯機。
【請求項３】
前記扉の閉塞中に前記照明装置のオンオフを操作する前記操作スイッチが押下された時
、前記制御手段の制御により前記直流電圧を前記照明装置へ給電または遮断することによ
り、前記照明装置のオンオフ制御が行われることを特徴とする請求項１に記載のドラム式
洗濯機。
【請求項４】
前記蓄電手段が電気２重層コンデンサであることを特徴とする請求項１又は請求項２に
記載のドラム式洗濯機。
【発明の詳細な説明】
【技術分野】
【０００１】
本発明は、ドラム内を照らす照明装置を有するドラム式洗濯機に関する。
【背景技術】
【０００２】
従来より、この種のドラム式洗濯機は外箱内に貯水可能な水槽を弾性支持し、水槽内に
は洗濯物が収容されるドラムが前記水槽の後面に装着されたモータにより回転可能に設け
られる構成としている。
【０００３】
そして、外箱の前面に洗濯物出入口と、ドラム内を透視可能とする透視窓を有し、洗濯
物出入口を開閉するための扉が設けられている。また、洗濯物出入口と水槽の前面とをつ
なぐベローの上部部位にドラム内を照明する照明装置が設けられている。この照明装置に
よって、ドラムの内部の視認性を向上させることができ、使用者がドラム内の洗濯物の状
態やドラムの回転の様子等を容易に視認することを可能としていた（例えば、特許文献１
参照。）。
【０００４】
しかしながら、このような照明装置を有するドラム式洗濯機では照明装置のオンオフ動
作は、操作パネル上の照明スイッチの入力、若しくは扉の開閉に連動される扉スイッチの
検知による制御回路の命令により行われており、その動作はいずれも制御回路に電源が供
給されている中で行われるものであった。
【特許文献１】特開２０００−１５７７８１号公報（第６頁、図１）
【発明の開示】
【発明が解決しようとする課題】
【０００５】
上述したように特許文献１に示す従来の照明装置を有するドラム式洗濯機においては、
照明装置のオンオフ動作は制御回路に電源が供給されている中で行われているため、制御
回路は常に通電された状態で待機していることから、不必要な電力を消費していた。
【０００６】
本発明は上記問題点を鑑みてなされたもので、照明装置のオンオフ制御に対して不必要
な電力を消費しないで動作させることができるドラム式洗濯機を提供することを目的とす
る。
【課題を解決するための手段】
【０００７】
上記目的を達成するために、本発明に係わるドラム式洗濯機は、洗濯物出入口を開閉す
る扉を前面に有する外箱と、この外箱の内部に弾性支持される水槽と、この水槽の内部に
設けられ、洗濯物を収容して回転駆動されるドラムと、このドラム内に光を照射する照明
装置と、前記ドラムを回転駆動するための交流電源を変換して得られた直流電圧を蓄積す
る蓄電手段と、前記扉の開閉に連動してオンオフされ、前記蓄電手段と前記照明装置との
間の通電路を開閉する扉スイッチと、操作パネルからの操作スイッチに従い前記ドラムの
回転駆動及び前記照明装置を制御する制御手段とを具備し、前記交流電源の供給時に前記
蓄電手段に蓄電され直流電圧を、前記交流電源の非供給時に前記扉が開放された時に導通
する前記扉スイッチを介して前記照明装置へ給電することにより、前記照明装置から前記
ドラム内に光が照射されることを特徴とする。
【発明の効果】
【０００８】
本発明のドラム式洗濯機によれば、蓄電手段を設けることにより、電力の非供給時にお
いても扉の開閉によって照明装置を照明することができ、以って余分な電力を消費させな
くすることができる。
【発明を実施するための最良の形態】
【０００９】
以下、図面を用いて本発明の実施形態を説明する。
【実施例１】
【００１０】
本発明によるドラム式洗濯機の第１の実施形態を、図１乃至図１０を参照して説明する
。
【００１１】
まず、図１は、ドラム式洗濯機の斜視図を示している。図２は、ドラム式洗濯機の右側
面から見た主要部の断面図である。図３は、ドラム式洗濯機の操作パネルの拡大図である
。図４は、ドラム式洗濯機の電気制御の構成を示すブロック図である。図５は、扉スイッ
チの取り付け図である。図６は、照明装置の組立図を示している。
【００１２】
図１および図２に示すように、ドラム式洗濯機の外箱１は、水槽３を支える台板２を下
部に有して矩形箱状を成している。そして、台板２の４隅の底部には脚５が設けられてい
る。
【００１３】
また、外箱１の背面部には作業口６が形成されていて、この作業口６には裏板７が着脱
可能に取り付けられている。さらに、前面部１ａの中央には円形状の洗濯物出入口８が形
成されており、この洗濯物出入口８には開閉可能な扉９が取り付けられている。
【００１４】
また、前面部１ａには電源スイッチ１０ａや照明装置スイッチ１０ｂ（図３を参照）、
及び「洗い」、「すすぎ」及び「脱水」等の各行程時間設定や各種コース設定を行うスイ
ッチ等を有する操作パネル１０が配設されており、その後方の外箱１内部にはマイクロコ
ンピュータ等から成る制御装置１１が収納されている。
【００１５】
この制御装置１１は、図４に示すように操作パネル１０の電源スイッチ１０ａや照明ス
イッチ１０ｂ等からの操作信号や、扉スイッチ４５からの検出信号が入力されるようにな
っており、モータ１７、給水弁４７、排水弁３５、および照明装置３４を制御するように
なっている。この制御装置１１内は、後述する照明装置マイクロコンピュータ７１等によ
って構成されている。
【００１６】
そして、外箱１内の水槽３は、前面に開口部３ａを有するドラム状を形成して、外箱１
の底面部に左右一対（図２では、一方のみ図示）のサスペンション１２を介して横向きに
弾性支持されている。その支持形態は、水槽３の開口部３ａから水槽３の底部に向かって
下りの傾斜（図２では、右下がり）を有する形状である。
【００１７】
水槽３の閉塞された底面の後端面部（図２中、右側の端面部）には、補強板１３が取り
付けられており、この補強板１３及び水槽３の前記後端面部の中心部に、回転軸の軸受１
４，１５を内装した軸受ハウジング１６が取り付けられている。また、軸受ハウジング１
６には、水槽３の底面背部に位置して、モータ１７のステータ１８が取り付けられている
。このモータ１７は、ロータ１９をステータ１８の外方に有するアウターロータ形のモー
タ１７を使用している。
【００１８】
また、水槽３の内部には、所定の間隙（径が少し小さい）をもつドラム２０が配設され
ている。このドラム２０の閉塞された底面の後端面部には、それより厚い例えば金属製の
ドラム支え２１が取り付けられている。このドラム支え２１及びドラム２０の後端面底部
の中心部に取り付けられたドラムシャフト２２は、水槽３の底部の中心部から前記軸受ハ
ウジング１６の軸受１４，１５内に挿通されている。そして、軸受ハウジング１６から突
出したドラムシャフト２２の後端部は、前記モータ１７のロータ１９に取り付けられてい
る。これにより、ドラム２０は、水槽３と同じ傾斜をもって水槽３に回転可能に支持され
る。
【００１９】
前記ドラム２０には、胴部のほぼ全域に脱水孔２３が設けられており（図２では、一部
のみ図示）、また、胴部の内周部の数か所にバッフル２４が取り付けられている（図２で
は、一部のみ図示）。そのほか、水槽３の側面最低部に排水口３５が設けられている。こ
の排水口３５は排水弁３６に取付けられていて、この排水弁３６を開閉する排水弁用モー
タ３７が水槽３の外側下面部に取付けられている。また、排水弁３６の先には排水ホース
３８が接続されている。
【００２０】
そして、水槽３の開口部３ａの周縁には鉄板やステンレス板等の金属、又はガラスなど
の耐熱性である剛性材で構成される水槽カバー２５が装着されており、この水槽カバー２
５は中央部に開口を有するリング状を成している。この水槽カバー２５の上部には、後述
する照明装置３４が設けられており、この照明装置３４はドラム２０内を照明する機能を
有している。
【００２１】
一方、この水槽カバー２５に対して、ドラム２０の前面にはドラムカバー２６が取り付
けられている。このドラムカバー２６は、ドラム２０の開放された前面の周縁部に装着さ
れたもので、中央部に洗濯物投入口２７を有するリング状を成しており、耐熱材で構成さ
れている。
【００２２】
そして、前面部１ａの洗濯物出入口８と水槽カバー２５との間は、ベロー２８によって
水密に連通接続されている。このベロー２８は、ドラム２０や水槽３からの振動に対処し
得る柔軟性を有すると共に、洗剤溶液等の耐薬品性にも優れた材料（例えば、エチレン・
プロピレン系の合成ゴム）にて作られており、全体的に概略筒状をなし、中間部位には蛇
腹部を有して、水槽３外への漏水を防止する構成をしている。
【００２３】
そして、ベロー２８に繋がる洗濯物出入口８には開閉可能な扉９が取り付けられている
。
【００２４】
この扉９は、図１に示すように、例えば洗濯物出入口８の形状に合わせた円形の形状を
有しており、外箱１に取り付けられたヒンジ２９により手前に回動することによって、洗
濯物出入口８を開閉するようになっている。
【００２５】
更に扉９の中央部には、洗濯物出入口８と同程度の大きさの透視窓３０が設けられてい
る。この透視窓３０は、図２に示すように、例えば扉９の前面に前面ガラス３１と、扉９
の後面に円錐台形状に膨出する形状の後面ガラス３２が設けられている。
【００２６】
またこの扉９には、被ドアロック部４１が設けられており、この被ドアロック部４１と
対応する外箱１の前面部１ａにはドアロック部４２が配設されている。この扉９を閉鎖す
る場合は、被ドアロック部穴４１ａがドアロック部４２に嵌合することにより洗濯物出入
口８が閉鎖される。さらに外箱１の前面部１ａには、ドアロック解除装置４３が設けてあ
り、このドアロック解除装置４３を押すことにより、ドアロック装置４０が解除され扉９
が開く構成になっている。
【００２７】
そしてこのドアロック部４２側には、図５に示すように扉９の開閉を検出するための、
例えばリミットスイッチからなる扉スイッチ４５が設けられている。
【００２８】
この扉スイッチ４５には、可動部材４５ａと、この可動部材４５ａに併設してばね４５
ｂが設けられる。そして、この可動部材４５ａの左右方向の動作することにより扉スイッ
チ４５がオンオフされる。
【００２９】
例えば、図５（ａ）に示すように被ドアロック部４１の被ドアロック部穴４１ａがドア
ロック部４２に嵌合した際には、被ドアロック部４１が奥方向（図５（ａ）の上方）に移
動することにより、可動部材４５ａが右方向に押される。この可動部材４５ａの移動によ
り扉スイッチ４５が押され、扉スイッチ４５は扉９の閉塞を検知する。
【００３０】
逆に、図５（ｂ）に示すように被ドアロック部４１の被ドアロック部穴４１ａがドアロ
ック部４２から解除された際には、被ドアロック部４１が前方向（図５（ｂ）の下方）に
移動することにより、可動部材４５ａがばね４５ｂの付勢により左方向に押される。この
可動部材４５ａの移動により扉スイッチ４５は扉９の開きを検知する。
【００３１】
このように扉スイッチ４５は、被ドアロック部４１の被ドアロック部穴４１ａがドアロ
ック部４２と嵌合／解除によって可動部材４５ａが変位することにより、扉９の開閉を検
出するようになっている。そして、この扉スイッチ４５と後述する照明装置回路７０の接
点７２が連動している構成をとっている。
【００３２】
また、外箱１の上面後方にはホース等（図示せず）により水道水等を水槽３内に導く入
水口４６が設けられ、給水弁４７に連結されている。
【００３３】
そして、入水口４６から給水弁４７、給水管４７ａを介して洗剤ケース４８ａに接続さ
れる。この洗剤ケース４８ａは、前面部１ａに設けられた洗剤投入口４８より投入された
洗剤を収納する。
【００３４】
次いで、洗剤ケース４８ａからフレキシブル給水ホース４９につながり、水槽３の上部
後側に形成された給水口４９ａに接続されている。
【００３５】
ここで、水槽カバー２５に設けられた照明装置の構成／動作について説明をする。
【００３６】
図６に示すように水槽カバー２５の上部の所定位置に、水槽カバー２５の周方向に長尺
な取り付け口２５ｃが形成されており、照明装置３４は取り付け口２５ｃを水槽カバー２
５の外側から塞ぐようにしてねじ３４ｂにより取り付け固定される。
【００３７】
この取り付け固定時には、照明装置３４の周縁部と水槽カバー２５との間に矩形枠状の
シール用パッキン３４ｃが介されるものであり、照明装置３４の取り付け口２５ｃからの
水漏れを防止するようにしている。なお、取り付け口２５ｃの外周面には、上記ねじ３４
ｂを螺合させるための複数個のボス部２５ｃ１が突出形成されている。
【００３８】
また照明装置３４は、矩形状の照明装置本体部３４ｄと、この照明装置本体部３４ｄの
前面に例えばねじ止めにより装着される透明樹脂製のカバー部材３４ｅとを備えた構成と
なっている。上記照明装置本体部３４ｄには、収納部３４ｄ１が凹状に形成されており、
この収納部３４ｄ１内に３つのＬＥＤ３４ａが設けられている基板３４ａ１が配置される
構成となっている。
【００３９】
また、前記カバー部材３４ｅは、照明装置本体部３４ｄの形状に対応した矩形状をなす
もので、収納部３４ｄ１に対応した部分に水槽カバー２５内に入り込んだ形態となる突部
３４ｅ１が形成されている。
【００４０】
そして、収納部３４ｄ１に配置された基板３４ａ１上の３つのＬＥＤ３４ａは、突部３
４ｅ１内側で照射する光がドラム２０内を斜め下向きの指向方向を有するように位置され
る構成をとる。
【００４１】
これら構成により照明装置３４は、水槽カバー２５の円周に沿って３つ並ぶＬＥＤ３４
ａを有することになりドラム２０内を照明する。さらに、照明装置本体部３４ｄ内には、
ＬＥＤ３４ａに電源を供給するための電源コード３４ｆが制御装置１１から引き出されて
いる。
【００４２】
このように構成された照明装置に関する電気回路について説明する。
【００４３】
図７は、本実施形態のドラム式洗濯機の回路構成を示す図である。
【００４４】
本実施形態による電気回路は、主に電源回路５０とこの電源回路５０に接続される照明
装置回路７０で構成されている。
【００４５】
この電源回路５０は、主に交流電源部である電源５１と、ブリッジダイオード５２、Ｄ
Ｃ−ＤＣコンバータ５３及び蓄電手段であるコンデンサ５４（例えば、電気２重層コンデ
ンサ）等の直流電源部５０ａで構成されている。
【００４６】
電源５１は、１００Ｖ用商用電源であり、整流回路であるブリッジダイオード５２に接
続される。このブリッジダイオード５２には整流後の電圧を平滑するための平滑コンデン
サ５５，５６（例えばアルミ電界コンデンサ等）が接続されており、この二つの平滑コン
デンサ５５，５６は直列に接続されている。また、整流ブリッジダイオード５２の交流入
力端子５２ａが平滑コンデンサ５５の低電位側と平滑コンデンサ５６の高電位側の間に接
続されている。
【００４７】
そして、この平滑コンデンサ５５、５６に対してＤＣ−ＤＣコンバータ５３が並列に接
続されており、コンデンサ５６の低電位側がグランドに接続されている。このＤＣ−ＤＣ
コンバータ５３により電圧を所定の１５Ｖ，５Ｖの出力電圧回路に分圧される。
【００４８】
このＤＣ−ＤＣコンバータ５３の１５Ｖの出力電圧ライン５７には平滑コンデンサ５８
が並列して接続されており、その平滑コンデンサ５８の高電位側の端子５８ａが照明装置
回路７０のリレー内部コイル７４ｂに接続されている。
【００４９】
またＤＣ−ＤＣコンバータ５３の５Ｖの出力電圧ライン５９には、其々コンデンサ６０
，５４が並列に接続されており、それぞれのコンデンサの高電位側には端子６０ａ，５４
ａが照明装置回路７０の照明装置マイクロコンピュータ７１、リレー７４の端子へと接続
されている。
【００５０】
またコンデンサ６０，５４の高電位側間にはダイオード６１が接続されており、コンデ
ンサ５４に蓄電された電荷が他に放電しないようにしている。
【００５１】
一方、照明装置回路７０は制御装置１１に設けられる照明装置マイクロコンピュータ７
１と、扉スイッチ４５に連動する接点７２と、３つのＬＥＤ３４ａ有する照明装置３４と
、リレー７４と、各種のトランジスタ等により構成されている。
【００５２】
次に、図７の動作を説明する。
【００５３】
まず、各種照明動作を制御する照明装置マイクロコンピュータ７１には、電源回路５０
の端子６０ａから電圧５Ｖが供給されている。
【００５４】
また、リレー７４の端子５４ａにも電源回路５０の端子５４ａから電圧５Ｖが供給され
ており、その端子５４ａがリレー接点７４ａに接続されている。また、リレー７４の端子
５８ａにも電源回路５０の端子５８ａから電圧１５Ｖが供給されており、その端子５８ａ
がリレー内部コイル７４ｂに接続されている。
【００５５】
リレー７４の端子５４ａと接点７４ａとの間は、それ自体の弾性によって、外力の作用
しない状態では閉状態（オン）が維持され、リレー内部コイル７４ｂが励磁されると、ア
ース側の端子に接続されて開状態（オフ）となる。
【００５６】
そして、リレー内部コイル７４ｂはエミッタ接地されたトランジスタ７５を介して照明
装置マイクロコンピュータ７１に接続されている。
【００５７】
一方、リレー接点７４ａは接点７２、抵抗などを介して照明装置３４に接続されている
。
【００５８】
この接点７２は、扉９の扉スイッチ４５に連動されていて、扉９が開状態では扉スイッ
チ４５が開状態を検知し、接点７２は閉状態（オン）となる。また逆に、扉９が閉状態で
は扉スイッチ４５は閉状態を検知し、接点７２は開状態（オフ）となるように動作する。
【００５９】
また、接点７２の出力側端子７６にはトランジスタ７７がコレクタ接続されており、こ
のトランジスタ７７のエミッタには電源回路５０の端子６０ａから５Ｖの電圧が印加され
ている。さらに、そのトランジスタ７７のベースは照明装置マイクロコンピュータ７１に
接続されている。
【００６０】
したがって、ドラム式洗濯機が商用電源５１に接続されている間に、コンデンサ５４に
照明装置３４に必要な電圧が充電され、例えば洗濯が完了した場合に扉９が開けられると
扉スイッチ４５が開状態を検知し、接点７２は閉状態（オン）となる。これにより、出力
電圧ライン５９の５Ｖ電圧が端子５４ａ、リレー７４、接点７２等を経由して照明装置３
４のＬＥＤ３４ａに印加され、ドラム２０内の手元から奥行きに向かって光が照射される
。
【００６１】
また、照明スイッチ１０ｂが押下された時、照明装置マイクロコンピュータ７１はトラ
ンジスタ７７を動作させ、出力電圧ライン５７の５Ｖ電圧が端子６０ａからトランジスタ
７７を経由して照明装置３４のＬＥＤ３４ａに印加され、ドラム２０内の手元から奥行き
に向かって光が照射される。
【００６２】
次に、上記構成を有するドラム式洗濯機の動作及び効果について、図１乃至図１０を参
照して説明する。なお、図８は照明スイッチによる照明動作のフローチャート、図９は扉
スイッチによる照明動作のフローチャート、図１０は電源オフ時の扉スイッチによる照明
動作のフローチャートを示している。
【００６３】
まず、本来の洗濯機能としては、周知のように「洗い」・「すすぎ」・「脱水」行程を
自動的に実行するものである。
【００６４】
まず、扉９を開け、洗濯物出入口８、洗濯物投入口２７を介してドラム２０内に図示し
ない洗濯物を入れる。そして、洗剤ケース４８ａ内に必要な洗剤を洗剤投入口４８から投
入する。
【００６５】
扉９を閉じ、操作パネル１０の操作をして運転条件を設定し運転スタートさせると、制
御装置１１の照明装置マイクロコンピュータ７１に予め記憶されたプログラムに基づき運
転が開始され、「洗い」、「すすぎ」、及び「脱水」の工程が順次行なわれる。
【００６６】
そして「洗い」工程が開始されると入水口４６，給水弁４７，給水弁４７ａ、洗剤ケー
ス４８ａ、フレキシブル給水ホース４９、給水口４９ａを通じて所定量の水が洗剤を含む
洗濯液として水槽３内に供給され、排水弁３６を閉じた状態で、ドラム２０をモータ１７
により、例えば５０〜６０〔ｒｐｍ〕の低速度で正逆両方向に交互に回転させる。水槽３
内の水位は、図示しない水位センサにより制御されている。
【００６７】
これにより、洗濯物が共にドラム２０のバッフル２４により順次かき上げられ撹拌され
て洗いが行われる。そして所定時間後、排水弁モータ３７が制御装置１１からの電気信号
により通電駆動されて排水弁３６が開放される。これによって、水槽３内に溜まった汚れ
た洗濯液は排水ホース３８を通じて外箱１外に排水される。
【００６８】
そして、上記排水動作が終了すると、水槽３内に新たな水が所定量供給されると、給水
を行いながらドラム２０が再びモータ１７により低速回転されて、上記「洗い」工程と同
様に「すすぎ」行程が行われる。これにより、洗濯物を洗濯水と共に撹拌して洗濯物に付
着した汚れと洗剤をすすぐ。
【００６９】
この「すすぎ」工程後の洗濯水は、洗濯時と同様に排水弁３６を開放することにより排
水ホース３８から外箱１外に排出される。
【００７０】
そして排水が終わると給水弁４７を閉じた状態で、ドラム２０をモータ１７により、８
００〜９００〔ｒｐｍ〕の高速度で一方向に回転させ、「脱水」工程が行われる。これに
より、洗濯物に含まれた水を、遠心力により脱水孔２３から排出させる。この排出させた
水は、水槽３の排水口３５から排水ホース３８を通じて外箱１外に排出される。
【００７１】
以下、本実施形態に基づくドラム式洗濯機の電気回路の作用について説明する。
【００７２】
まず、電源回路５０ではＡＣ電源５１の正の半サイクルの期間に平滑コンデンサ５５を
充電し、負の半サイクルの期間に平滑コンデンサ５６を充電する。
【００７３】
これにより、平滑コンデンサ５５，５６に並列に接続されたＤＣ−ＤＣコンバータ５３
には倍電圧整流された電圧（２８２Ｖ）が供給される。この電圧（２８２Ｖ）は、ドラム
式洗濯機のモータ１７の駆動等に利用される。
【００７４】
そしてＤＣ−ＤＣコンバータ５３は、入力電圧（２８２Ｖ）を所定の直流電圧１５Ｖ及
び５Ｖに降圧変換して出力する。それに伴いコンデンサ５４には電荷が蓄電される。この
際、ダイオード６１により、コンデンサ５４に蓄電された電荷が他に放電出されないよう
になっている。
【００７５】
これにより、照明装置回路７０のリレー７４の端子５４ａとグランド間に５Ｖの電圧が
印加される。また、トランジスタ７７の端子６０ａとグランド間に５Ｖの電圧が印加され
る。さらに、照明装置マイクロコンピュータ７１の端子６０ａから５Ｖの電圧がコンデン
サ８０により平滑されて印加される。
【００７６】
これにより、照明装置マイクロコンピュータ７１が動作して所定のプログラムに基づき
各種の動作制御が実行される。
【００７７】
ここで、そのプログラムに基づく照明制御の動作を説明する。
【００７８】
図８は、照明装置マイクロコンピュータ７１による照明スイッチ１０ｂの操作に応答し
た照明制御のフローチャートである。
【００７９】
使用者により操作パネル１０のスイッチ１０ａの操作で電源５１がＯＮされた状態で（
ステップＳ１）、さらに照明スイッチ１０ｂが押されたとする（ステップＳ２）。
【００８０】
すると、その照明スイッチ１０ｂの押下に応じて照明装置マイクロコンピュータ７１か
らトランジスタ７７のベースに電圧が印加され、トランジスタ７７がオンとなり、ＬＥＤ
３４ａが点灯する（ステップＳ３）。すなわち、出力電圧ライン５７からの５Ｖ電圧が端
子６０ａ、トランジスタ７７を経由して照明装置３４のＬＥＤ３４ａに印加され、ドラム
２０内の手元から奥行きに向かって光が照射される。
【００８１】
このＬＥＤ３４ａの照射範囲は、光がドラム２０内を斜め下向きの指向方向を有するよ
うに照明装置３４が水槽カバー２５に取り付けられているので、図２に示すようにＬＥＤ
３４ａによりドラム２０内の照射範囲Ｘ（斜線部Ｘの範囲）（ドラム内の手前から奥行き
に向けて）に光を照射することができる。
【００８２】
また照明スイッチ１０ｂを再び押すと、照明装置マイクロコンピュータ７１からトラン
ジスタ７７のベースに電圧が印加されなくなりトランジスタ７７がオフとなり、ＬＥＤ３
４ａへの通電が切断されＬＥＤ３４ａが消灯する。
【００８３】
これによって、電源がオンになっている際は、扉９が閉塞している状態でも（「洗い」
、「すすぎ」、「脱水」時においても）照明スイッチ１０ｂの操作によりＬＥＤ３４ａか
らドラム２０内に光が照射されるので、使用者は外箱１の前面から透視窓３０を通してド
ラム内の様子を視認することができる。
【００８４】
図９は、照明装置マイクロコンピュータ７１による扉スイッチ４５のオンオフに応答し
た照明制御のフローチャートである。
【００８５】
ドラム式洗濯機の各種の洗濯動作が終了し、一定時間（例えば１０分）が経過すると（
ステップＳ４のＹ）、電源５１が自動的にオフされる（ステップＳ９）。
【００８６】
一方、ドラム式洗濯機の各種の洗濯動作が終了し、一定時間が経過する前（ステップＳ
４のＮ）に扉９が開かれると、扉９の開状態を検知した扉スイッチ４５により接点７２が
閉状態（オン）となる（ステップＳ５のＹ）。
【００８７】
この際リレー接点７４ａは端子５４ａと常時閉状態（オン）となっているため、これに
より電源回路５０の出力電圧ライン５７からの５Ｖの電圧は端子５４ａ、接点７２等を経
由して照明装置３４のＬＥＤ３４ａに印加され、ＬＥＤ３４ａから光が照射される。（ス
テップＳ６）
ＬＥＤ３４ａが照明されてから例えば３分経過すると（ステップＳ７のＹ）、照明装置
マイクロコンピュータ７１からトランジスタ７５のベースに電圧が印加され、トランジス
タ７５がオン状態となる。
【００８８】
これにより、出力電圧ライン５９の１５Ｖの電圧が端子５８ａからリレー７４のリレー
内部コイル７４ｂに通電され、リレー内部コイル７４ｂが励磁される。この励磁に従い、
リレー接点７４ａはアース側に切り替えられリレー７４は開状態（オフ）となる。
【００８９】
従って、出力電圧ライン５９の端子５４ａ、接点７２等を経由してＬＥＤ３４ａへ供給
される電流が、リレー７４が切断されることによってＬＥＤ３４ａが消灯される（ステッ
プＳ８）。そして、このＬＥＤ３４ａの消灯後、電源５１がオフとなる（ステップＳ９）
。
【００９０】
図１０は、電源オフ時の扉スイッチ４５のオンオフに応答する照明制御のフローチャー
トである。
【００９１】
電源オフ時とは、前述した図９のステップＳ４のように一定時間経過後に電源５１がオ
フになった場合か、若しくは使用者自ら電源スイッチ１０ａを押して電源５１をオフした
場合である（ステップＳ１０）。
【００９２】
従って、この状態では電源回路５０に電荷が蓄えられているのはコンデンサ５４だけで
、コンデンサ５４以外のコンデンサには電荷が蓄電されてない状態となり、照明装置マイ
クロコンピュータ７１への印加電圧もなくなる。
【００９３】
その状態で、使用者が扉９を開く（ステップＳ１１のＹ）と、扉９が開状態となること
により扉スイッチ４５も開状態となる。したがって、扉スイッチ４５に連動した接点７２
が閉状態（オン）となる。
【００９４】
これにより、コンデンサ５４からの５Ｖの電圧が端子５４ａ、リレー接点７４ａ、接点
７２等を経由してＬＥＤ３４ａに印加され、ＬＥＤ３４ａが通電状態となる。それにより
ＬＥＤ３４ａはドラム２０に向かって光を照射する（ステップＳ１２）。
【００９５】
また、扉スイッチ４５が閉状態（オン）（扉９は開状態）が続くと、時間が経過するに
従ってコンデンサ５４に蓄えられた電荷が無くなるためＬＥＤ３４ａに電流が供給されな
くなり、ＬＥＤ３４ａは消灯される。
【００９６】
ここでは、コンデンサ５４として電気２重層コンデンサを使用しているため大きな電荷
容量を保持でき、例えばアルミ電界コンデンサに比して長時間ＬＥＤ３４ａに電圧を印加
することができ、長時間ＬＥＤ３４ａから光を照射することができる。
【００９７】
また、ＬＥＤ３４ａから光を照射中に扉９が閉まり、扉スイッチ４５が閉状態となると
（ステップＳ１３のＹ）、接点７２が開状態（オフ）となり、コンデンサ５４の端子５４
ａとＬＥＤ３４ａ間が切断され、ＬＥＤ３４ａは消灯される（ステップＳ１４）。
【００９８】
このように、電気２重層コンデンサ５４を備えることにより電源５１がオフされた状態
でも、洗濯物を取り出す際に、扉９を開けることでＬＥＤ３４ａからドラム２０に向かっ
て光を照射することができ、使用者にとって使い勝手がよい商品となる。
【００９９】
さらに、電源５１がオン時になると電気２重層コンデンサ５４に充電が行われる。この
ように本実施形態によれば、電源オフ時にＬＥＤ３４ａを駆動するための余計な待機電力
を必要とせず、電力を経済的に使うことができる。
【図面の簡単な説明】
【０１００】
【図１】本発明に係るドラム式洗濯機の第１の実施形態の全体斜視図。
【図２】第１の実施形態に係るドラム式洗濯機の右側面から見た主要部断面図。
【図３】第１の実施形態に係るドラム式洗濯機の操作パネルの拡大図。
【図４】第１の実施形態に係るドラム式洗濯機の電気的構成図
【図５】第１の実施形態に係るドラム式洗濯機の扉スイッチの取り付け図。
【図６】第１の実施形態に係るドラム式洗濯機の照明装置の組立図。
【図７】第１の実施形態に係るドラム式洗濯機の電気回路構成図。
【図８】第１の実施形態に係るドラム式洗濯機の第１の照明制御のフローチャート。
【図９】第１の実施形態に係るドラム式洗濯機の第２の照明制御のフローチャート。
【図１０】第１の実施形態に係るドラム式洗濯機の第３の照明制御のフローチャート。
【符号の説明】
【０１０１】
１  外箱、１ａ  前面部、２  台板、３  水槽、３ａ  開口部、５  脚、６  作業口、７
裏板、８  洗濯物出入口、９  扉、１０  操作パネル、１０ａ  電源スイッチ、１０ｂ
照明装置スイッチ、１１  制御装置、１２  サスペンション、１３  補強板、１４  軸
受、１５  軸受、１６  軸受ハウジング、１７  モータ、１８  ステ−タ、１９  ロータ
、２０  ドラム、２１  ドラム支え、２２  ドラムシャフト、２３  脱水穴、２４  バッ
フル、２５  水槽カバー、２６  ドラムカバー、２７  洗濯物投入口、２８  ベロー、２
９  ヒンジ、３０  透視部、３１  前面ガラス、３２  後面ガラス、３５  排水口、３６
排水弁、３７  排水弁モータ、３８  排水ホース、４０  ドアロック装置、４１  被ド
アロック部、４１ａ  被ドアロック部穴４１ａ、４２  ドアロック部、４３  ドアロック
解除装置、４５  扉スイッチ、４５ａ  可動部材、４５ｂ  ばね、４６  入水口、４７  
給水弁、４７ａ  給水管、４８  洗剤投入口、４８ａ  洗剤ケース、４９  フレキシブル
給水ホース、４９ａ  給水口、５０  電源回路、５０ａ  直流電源部、５１  電源、５２
ブリッジダイオード、５２ａ  交流入力端子、５３  ＤＣ−ＤＣコンバータ、５４  コ
ンデンサ、５４ａ  端子、５５  平滑コンデンサ、５６  平滑コンデンサ、５７  出力電
圧ライン、５８  平滑コンデンサ、５８ａ  端子、５９  出力電圧ライン、６０  コンデ
ンサ、６０ａ  端子、６１  ダイオード、７０  照明装置回路、７１  照明装置マイクロ
コンピュータ、７２  接点、７４  リレー、７４ａ  リレー接点、７４ｂ  リレー内部コ
イル、７５  トランジスタ、７６  端子、７７  トランジスタ、８０  コンデンサ、
【図１】
2006223571.tif 000003
【図２】
2006223571.tif 000004
【図３】
2006223571.tif 000005
【図４】
2006223571.tif 000006
【図５】
2006223571.tif 000007
【図６】
2006223571.tif 000008
【図７】
2006223571.tif 000009
【図８】
2006223571.tif 000010
【図９】
2006223571.tif 000011
【図１０】
2006223571.tif 000012